(57)【要約】【課題】水素の通過抵抗の増加を防止し、熱伝導率の低下を防止し、水素の吸蔵及び放出を迅速に行える水素吸蔵合金の容器と、この容器を使用する水素貯蔵装置を提供する。【解決手段】水素吸蔵合金の封入容器１は、圧力容器２内に、間隔を有して配列された複数の熱伝導フィン１２とフィルター１０，１１により水素吸蔵合金Ｍを収容する合金収容５室を形成し、入口フィルター１０と出口フィルター１１は、ろ過精度の異なる複数のフィルター１０ａ〜１０ｃ，１１ａ〜１１ｃを積層して構成され、熱伝導フィン１２は収容された水素吸蔵合金Ｍを加熱あるいは冷却する。封入容器１は、水素の吸蔵及び放出を行う際に、下方位置から上方位置に向けて水素を流すように合金収容室５を配置する。また、封入容器１は水素吸蔵合金Ｍを振動させる振動装置２０を備える。【選択図】　図２
2004132503.tif 000002
【特許請求の範囲】
【請求項１】
圧力容器内に、間隔を有して配列された複数の熱伝導フィンとフィルターにより水素吸蔵合金を収容する合金収容室を形成した水素吸蔵合金の封入容器であって、
前記フィルターは、ろ過精度の異なる複数のフィルターを積層して構成され、前記熱伝導フィンは、収容された水素吸蔵合金を加熱あるいは冷却することを特徴とする水素吸蔵合金の封入容器。
【請求項２】
前記封入容器は、水素の吸蔵及び放出を行う際に、下方位置から上方位置に向けて水素を流すように前記合金収容室を配置したことを特徴とする請求項１に記載の水素吸蔵合金の封入容器。
【請求項３】
前記封入容器は３層構造で構成され、下層を水素の入口空間とし、中層を前記合金収容室とし、上層を水素の出口空間とすることを特徴とする請求項２に記載の水素吸蔵合金の封入容器。
【請求項４】
前記水素吸蔵合金を振動させる振動装置を備えることを特徴とする請求項１〜３のいずれか１項に記載の水素吸蔵合金の封入容器。
【請求項５】
請求項１〜４のいずれか１項に記載の封入容器の合金収容室に、水素吸蔵合金を収容したことを特徴とする水素貯蔵装置。
【発明の詳細な説明】
【０００１】
【発明の属する技術分野】
本発明は、燃料電池等に使用する水素吸蔵合金の封入容器に係り、特に、水素ガスを迅速に、長期間亘って安定して吸蔵及び放出できる水素吸蔵合金の封入容器と、この封入容器を使用した水素貯蔵装置に関する。
【０００２】
【従来の技術】
従来の水素吸蔵合金の封入容器３１は、例えば図１１（ａ）に示すように、内部が板フィルタ３２を介して２室に分かれており、一方は水素吸蔵合金Ｍが封入される合金収容室３３であり、他方は水素移動用の溝３４を形成する溝形成板３５の収容室３６であり、板フィルタ３２及び溝形成板３５の両者によって水素分配手段を構成している（例えば、特許文献１参照）。
【０００３】
また、従来の水素吸蔵合金収容ユニットは、例えば図１１（ｂ）に示すように、加熱・冷却のための２本の熱媒管４１に、複数のプレート状の熱媒管４２を多数横架し、かつ、プレート状熱媒管の間に多数のフィン４３を配することにより構成され、プレート状熱媒管とフィンで構成される空間に水素吸蔵合金Ｍを充填してえられる水素吸蔵合金収容ユニットであり、収容ユニットの周囲をフィルター４４で被覆している（例えば、特許文献２参照）。
【０００４】
【特許文献１】
特開２００１−４２４４号公報（段落［００１４］、図１）
【特許文献２】
特開７−３３０３０１号公報（特許請求の範囲、図１）
【０００５】
【発明が解決しようとする課題】
水素吸蔵合金を用いた水素貯蔵システムでは、合金が本来持っている水素の速い吸蔵・放出速度をできるだけ有効に利用することが重要なポイントとなる。すなわち、水素を吸蔵するときには、発生する反応熱をできるだけ速やかに合金から取り去り、水素を放出するときには、吸収する反応熱をできるだけ速く合金に与えることが必要である。
【０００６】
ところが粉末状の水素吸蔵合金自体の熱伝導率が低いこと（例えば、直径１００μｍのＬａＮｉ５　系では約３０Ｗｍ−１Ｋ−１）、さらに、水素の吸蔵・放出の繰り返しにより合金が微粉化し、一層熱伝導率が低下する（例えば、直径１０μｍのＬａＮｉ５　系では概ね０．１〜１Ｗｍ−１Ｋ−１）。水素吸蔵合金の微粉化は水素の吸蔵により、合金の結晶内に水素が入り込み生じる結晶の歪みと水素の放出による歪みの緩和の繰り返しが原因で進行する。合金の微粉化は熱伝導率の低下の他に、水素ガスの通過抵抗を大きくし水素吸蔵合金が充填された容器内で水素が流れにくくなる。
【０００７】
水素吸蔵合金容器は水素ガスの出入りを１個所で行う往復タイプと、水素ガスの出入口を別にする連続タイプがある。前記の特許文献１に記載の水素吸蔵合金の封入容器は往復タイプで、水素ガスの通過抵抗増加を抑制するものであり、特許文献２に記載の水素吸蔵合金収容ユニットは連続タイプで、水素の吸蔵と放出に関する熱の受け渡しを効果的に行い、微粉化に伴う容器の変形を防止するものである。
【０００８】
ところで、前記特許文献１に記載の水素吸蔵合金の封入容器や、特許文献２に記載の収容ユニットにおいて、水素吸蔵合金は材料により違いはあるが、一般的に微粉化前の合金粒径は１００μｍ程度のものを使用し、吸蔵・放出を繰り返していくと約数μｍ程度に微粉化するが、微粉化が進行しても水素の通過抵抗の増加を抑制することができると共に、合金の熱伝導率の低下を抑える容器の有用な手段がなかった。
【０００９】
本発明は、このような問題に鑑みてなされたものであって、その目的とするところは、合金の微粉化に伴う通過抵抗の増加、すなわち圧力損失の増加を防ぎ、容器内の水素移動量の低下を抑制することができる水素吸蔵合金の封入容器を提供することにある。また、合金の微粉化に伴う熱伝導率の低下を防止でき、水素の吸蔵及び放出を効率良く行うことができる水素吸蔵合金の封入容器を提供することにある。そして、前記の封入容器を使用し、水素の吸蔵及び放出を効率良く行える水素貯蔵装置を提供する。
【００１０】
【課題を解決するための手段】
前記目的を達成すべく、本発明に係る水素吸蔵合金の封入容器は、圧力容器内に、間隔を有して配列された複数の熱伝導フィンとフィルターにより水素吸蔵合金を収容する合金収容室を形成したもので、前記フィルターは、ろ過精度の異なる複数のフィルターを積層して構成され、熱伝導フィンは収容された水素吸蔵合金を加熱あるいは冷却することを特徴とする。熱伝導フィンは熱媒管や熱媒通路を流れる熱媒により加熱、冷却される。
【００１１】
前記のごとく構成された本発明の水素吸蔵合金の封入容器は、水素を吸蔵するとき、あるいは水素を放出するときに、ろ過精度の異なる複数のフィルターで水素吸蔵合金を段階的に捕捉するため目詰まりを防止でき、水素の通過抵抗が増えるのを防止できる。また、微粉化した合金は適宜、粉末合金内から除かれ、出口フィルター部に捕捉されるため合金の熱伝導率の低下を防止でき、水素吸蔵合金の加熱、冷却が効率良くでき、水素の吸蔵及び放出を迅速に、長期間に亘って安定して行うことができる。
【００１２】
また、本発明に係る水素吸蔵合金の封入容器の好ましい具体的な態様としては、前記封入容器は、水素の吸蔵及び放出を行う際に、下方位置から上方位置に向けて水素を流すように前記合金収容室を配置したことを特徴としている。そして、前記封入容器は３層構造で構成され、下層を水素の入口空間とし、中層を前記合金収容室とし、上層を水素の出口空間とすることが好ましい。
【００１３】
この構成によれば、水素の吸蔵及び放出を行うとき、水素は下から上に向かって流れるため合金の横方向への偏在を防止でき、水素の吸蔵、放出時の容器の温度変化によって生ずる局所的な変形や損傷を防止でき、封入容器の耐久性を高めることができる。封入容器を３層構造とすることにより、水素を下方から上方に向けて安定して流すことができる。
【００１４】
さらに、本発明に係る水素吸蔵合金の封入容器の好ましい具体的な他の態様としては、前記水素吸蔵合金を振動させる振動装置を備えることを特徴としている。振動装置としては、圧電振動子やモーターの回転軸に偏心マスを固定した振動装置等が用いられる。この構成によれば、合金収容室に収容された水素吸蔵合金に振動を与えて、収容室内での偏在を防止することができ、合金内に存在する微粉化した合金を入口フィルター側へ導くことで合金の熱伝導率の低下を防ぐことができる。
【００１５】
本発明に係る水素貯蔵装置は、前記の封入容器の合金収容室に、水素吸蔵合金を収容したことを特徴とする。このように構成された本発明の水素貯蔵装置は、微粉化した合金を段階的に捕捉し、水素の通過抵抗の増加を防止できるため迅速な水素の吸蔵及び放出を可能とする。また、水素吸蔵合金の熱伝導率の低下を防止し、合金の吸蔵及び放出に伴う反応熱の授受を速やかに行え、迅速で高効率な水素の吸蔵と放出を達成することができる。さらに、合金の偏在に伴う封入容器の変形や損傷を防止することができる。
【００１６】
【発明の実施の形態】
以下、本発明に係る水素吸蔵合金の封入容器の一実施形態を図面に基づき詳細に説明する。図１は本実施形態に係る水素吸蔵合金の封入容器を使用した水素貯蔵装置の斜視図、図２は図１のＡ−Ａ線断面図、図３は図２のＢ−Ｂ線断面図、図４はフィルターと水素吸蔵合金の関係を示す模式図、図５は図１の内部構造である熱伝導フィンとフィルターを分解した斜視図である。
【００１７】
図１〜５において、水素を吸蔵及び放出する水素吸蔵合金の封入容器１は、直方体状の圧力容器２を備えており、例えばステンレススチール等の金属から形成され、所定の圧力に耐える構造をしている。圧力容器２の内部は、上下方向に分割された３層構造となっており、下層の空間は水素あるいは水素を含有する混合ガスが流入する入口空間３となっており、上層の空間は水素吸蔵合金から放出された水素を溜める出口空間４となっている。中層の空間は、後述する複数の熱伝導フィンと、熱伝導フィンの上下面を被覆するフィルターにより水素吸蔵合金を収容する合金収容室５を形成している。
【００１８】
下層の入口空間３には水素あるいは混合ガスが流入する流入管６が接続され、上層の出口空間４には水素あるいは混合ガスが放出されて燃料電池等の機器に供給する流出管７が接続されている。また、中層の合金収容室５には室内の水素吸蔵合金を加熱、冷却する熱媒が通る熱媒管８が貫通しており、熱媒管８の端部は圧力容器２から突出し熱媒が入る入口管８ａと、熱媒の出る出口管８ｂとなっている。流入管６、流出管７、入口管８ａ及び出口管８ｂと圧力容器２との接続部分は溶接等により気密状態となっている。本実施形態では、熱媒として空気を使用しており、水素吸蔵時には冷風（約１０℃）を送風し、水素放出時には温風（約５０℃）を送風している。なお、熱媒としては、温水、冷水を用いることもできる。
【００１９】
中層の合金収容室５は下方の入口フィルター１０と、上方の出口フィルター１１とにより圧力容器２内で区画され、入口フィルター１０、出口フィルター１１との間には複数の熱伝導フィン１２が所定の間隔をもって垂直状態に配列されており、合金収容室５は熱伝導フィン１２と、この上下面を被覆するフィルター１０，１１により形成される。熱伝導フィン１２は、これらを貫通する熱媒管８に溶接等により所定の間隔を有して固定されている。そして、水素吸蔵合金Ｍが熱伝導フィン１２の間の空間に収容されている。このように、熱伝導フィン１２により細分化された空間に水素吸蔵合金Ｍは収容されるため、合金の微粉化に伴う粉末の圧密化を防ぐことができ、さらに、両フィルター１０，１１で被覆されているために、過度の圧力はフィルターで緩和されるように構成されている。
【００２０】
熱伝導フィン１２は厚さが数ｍｍ程度の熱伝導率の高い銅やアルミニウム等の矩形状の金属から形成され、収容された水素吸蔵合金を加熱あるいは冷却するものであり、熱伝導フィンの両側辺は圧力容器２の内面に接している。熱伝導フィン１２の間隔は熱力学的に計算されることが好ましく、熱伝導フィン１２の間隔を狭めることや、熱伝導フィン１２の厚さを増やすにより、収容される水素吸蔵合金Ｍの熱伝導率を高めることができる。
【００２１】
入口フィルター１０及び出口フィルター１１は、熱伝導フィン１２の上下に配置され、ポリプロピレン等の樹脂シートで形成され、水素を素通りさせることができる。合金収容室５に収容される水素吸蔵合金Ｍの粉末は、入口フィルター１０及び出口フィルター１１によって保持され、入口フィルター１０及び出口フィルター１１によって微粉が合金収容室５から漏れるのを防止し、飛散するのを防止している。
【００２２】
入口フィルター１０及び出口フィルター１１は、ろ過精度の異なる複数のフィルターを積層しており、水素吸蔵合金Ｍに接する側から外側に向けて、ろ過精度が小さくなるように設定している。本実施形態では、両方のフィルター１０，１１は内側の合金側フィルター１０ａ，１１ａ、その外側の中間フィルター１０ｂ，１１ｂ及び外側フィルター１０ｃ，１１ｃの３層からなり、合金側フィルター１０ａ，１１ａは微粉化前の合金より小さな細孔を有するものを使用し、外側に向けて、すなわち中間フィルター１０ｂ，１１ｂの細孔が合金側フィルターに比べて小さくなり、さらに外側フィルター１０ｃ，１１ｃの細孔が中間フィルターに比べて小さくなり、徐々に細孔の内径が小さくなっている。
【００２３】
細孔の内径の例としては、使用前の水素吸蔵合金Ｍの粒径が１００μｍ程度の場合、合金側フィルター１０ａ，１１ａのろ過精度は５０μｍ、中間フィルター１０ｂ，１１ｂのろ過精度は２５μｍ、外側フィルター１０ｃ，１１ｃのろ過精度は１〜２μｍとしている。両方のフィルター１０，１１は、奥行きでろ過するデプスタイプを使用している。このため、面でろ過する薄膜のメンブランタイプと比較して、フィルターとしての機能は向上している。なお、両方のフィルターを２層構造として、中間フィルターを省略したものでもよい。また、入口フィルターは、ろ過精度の異なるフィルターを積層せず、最も小さい細孔のフィルターのみで構成するようにしてもよい。
【００２４】
さらに、両方のフィルターは金属繊維を用いたシートで構成してもよく、この場合は熱伝導率を向上させることができる。また、両方のフィルターを、例えば水素吸蔵合金より熱伝導性に優れた銅、アルミニウム等の金属薄板から形成し、水素を素通りさせる多数の細孔を形成してもよい。この細孔は、水素吸蔵合金の粉末径より小さい内径で形成され、エッチング処理等により形成すると好適である。この場合も、フィルターのろ過精度を外側に向けて小さくする。
【００２５】
このように、水素吸蔵合金の封入容器１は、圧力容器２の上下方向の中間部に、熱伝導フィン１２を多数配列した熱媒管８を水平方向に配置し、熱媒管８の熱伝導フィン１２の上下面をフィルター１１，１０で被覆して構成され、上下方向に分割された３層空間３，４，５を有し、下層空間を水素等のガスの入口空間３とし、中間空間を水素吸蔵合金Ｍの合金収容室５とし、上層空間を水素等のガスの出口空間４としている。このため、水素ガスは封入容器１内を下方から上方に向けて流れるように構成され、封入容器１は水素の吸蔵及び放出を行う際に、水素を下方位置から上方位置に向けて流すように合金収容室５を配置している。
【００２６】
前記の如く構成された本実施形態の水素吸蔵合金の封入容器１の作用について以下に説明する。封入容器１に水素を吸蔵するときは、流入管６から下方の入口空間３に水素等を流入させると、水素等は入口フィルター１０の外側フィルター１０ｃ、中間フィルター１０ｂを経由して合金側フィルター１０ａを通過し、合金収容室５内の水素吸蔵合金Ｍに吸蔵される。このとき水素吸蔵合金Ｍは発熱するため、この熱は熱伝導フィン１２及び熱媒管８を介して放熱され、入口管８ａから入る熱媒に吸熱されて出口管８ｂを通して排熱される。
【００２７】
このときに水素は下から上に流れるため、水素吸蔵合金Ｍが横方向に押しやられることがなくなる。そして、合金粉末が撹拌され合金収容室５内での偏在が防止され、過度の圧力が圧力容器２に加わることがなく、封入容器１が変形あるいは損傷することを防止できる。すなわち、水素吸蔵時に発生する熱の影響で水素吸蔵合金Ｍが体積膨張し、圧力容器２の壁面が過度の圧力を受けて変形したり、損傷したりするのを防止できる。従来のように、水素を上から下に、あるいは横方向に流すと、水素の流れ方向に合金が押しやられ、このような状態で水素の吸蔵や放出を繰り返すと、水素吸蔵時に生じる体積膨張により、合金の粉末が圧密化され、容器の壁が過度の圧力を受けて変形あるいは損傷するおそれがあるが、本実施形態では前記のような不具合を防止することができる。
【００２８】
また、水素を放出するときは、入口管８ａから加熱された熱媒を流入させると、熱は熱伝導フィン１２を通して水素吸蔵合金Ｍを加熱して水素を放出し、水素は出口フィルター１１を通して出口空間４に入り、流出管７から圧力容器２外に流出する。水素吸蔵合金Ｍは水素の吸蔵、放出を繰り返すと、合金の結晶内に水素が入り込んで生じる結晶の歪と、水素の放出による歪の緩和の繰り返しが原因で微粉化が進行するが、微粉化した合金はろ過精度の異なる出口フィルター１１で段階的に捕捉される。
【００２９】
すなわち、図４（ａ）〜（ｂ）に示すように、合金側のフィルター１１ａで大きい粒径の合金を捕捉し、このフィルターを通過したやや小さい粒径の合金は中間フィルター１１ｂで捕捉され、さらに細かい粒径の合金は外側フィルター１１ｃで段階的に捕捉されるため、目詰まりを防止して水素の通過抵抗の増加を抑えることができ、迅速な水素の放出を可能としている。また、微粉化した合金は適宜、粉末合金内から除かれ出口フィルター１１に捕捉されるため、熱伝導率の低下を抑え水素の吸蔵・放出が阻害されにくくなる。
【００３０】
本発明の他の実施形態を図６〜９に基づき詳細に説明する。図６は本発明に係る水素吸蔵合金の封入容器を使用した水素貯蔵装置の他の実施形態の斜視図、図７は図６のＣ−Ｃ線断面図、図８は図７のＤ−Ｄ線断面図、図９は図６の内部構造を分解した斜視図である。なお、この実施形態は前記した実施形態に対し、合金収容室内の水素吸蔵合金を加熱、冷却する熱媒の流入経路と熱伝導フィンの形状が異なることを特徴とする。そして、他の実質的に同等の構成については同じ符号を付して詳細な説明は省略する。
【００３１】
図６〜９において、封入容器１は前記の実施形態と同様に、下層の入口空間３と、中層の合金収容室５と、上層の出口空間４とを備えており、３層の空間の両側部に上下に貫通した状態の熱媒の流れる断面が矩形状の熱媒通路１５，１５を形成している。そして、熱媒通路１５，１５は、圧力容器２を長手方向に貫通し、両端は開口している。熱媒通路１５，１５には、開口部から加熱空気、冷却空気等の熱媒が供給される。
【００３２】
また、合金収容室５内に配列された多数の熱伝導フィン１６は、中央部の長尺の平板部１６ａと、平板部の両端から一方向に直角に折り曲げた短尺の曲げ部１６ｂ，１６ｂとから構成された略コ字状をしており、両端の曲げ部１６ｂが隣接する熱伝導フィン１６の平板部１６ａに対接して所定の間隔で配列されている。そして、熱伝導フィン１６の曲げ部１６ｂが熱媒の流れる熱媒通路１５，１５の壁面に接触している。
【００３３】
このため、熱媒通路１５，１５を流れる加熱された熱媒の熱エネルギーは熱伝導フィン１６の両端の曲げ部１６ｂに伝達され、平板部１６ａに熱伝導して内部に収容された水素吸蔵合金Ｍを加熱する構成となっている。この例では、熱伝導フィン１６の曲げ部１６ｂの水平方向長さを調整することにより、水素吸蔵合金Ｍの収容量を調整できると共に、熱伝導率を調整することができる。すなわち、熱伝導フィン１６の曲げ部１６ｂの長さを長くすると空間が増えるため水素吸蔵合金Ｍの収容量を増やすことができ、熱伝導率は小さくなる。
【００３４】
この実施形態においては、合金収容室５内を熱媒が流れず、両側方の熱媒通路１５，１５を流れる熱媒からの熱エネルギーを熱伝導フィン１６の熱伝導により水素吸蔵合金Ｍに与えるため、熱媒が安定して流れて水素吸蔵合金Ｍへの熱エネルギーの供給が安定し、水素吸蔵合金Ｍからの水素の放出が、より迅速となる。また、熱伝導フィン１６は合金収容室５内に配列するだけで、前記の例のように溶接する必要がないため、製造が容易となる。
【００３５】
本発明のさらに他の実施形態を図１０に基づき詳細に説明する。図１０は本発明に係る水素吸蔵合金の封入容器を使用した水素貯蔵装置のさらに他の実施形態の斜視図である。なお、この実施形態は前記した第１の実施形態に対し、合金収容室内に収容された水素吸蔵合金を振動させる振動装置を備えることを特徴とする。そして、他の実質的に同等の構成については同じ符号を付して詳細な説明は省略する。
【００３６】
圧力容器２の両側面には、水素吸蔵合金Ｍを振動させる振動装置２０が固着されている。この振動装置２０は、例えばチタン酸バリウム等の圧電素子に電極を形成した圧電振動子で構成され、電界を印加することで振動を発生されるものが用いられている。振動装置２０の振動モードは、圧力容器２の取付面に対して水平方向に変位するモードでも、垂直方向に変位するモードでもよく、適宜設定でき、振動周波数も適宜設定できる。
【００３７】
この実施形態においては、水素を吸蔵あるいは放出するときに振動装置２０を作動させると、この振動が圧力容器２、熱伝導フィン１２、フィルター１０，１１を通して水素吸蔵合金Ｍに伝達され、合金粉末が撹拌されて合金収容室５内での偏在を防ぐことができる。この結果、合金内に存在する微粉化した合金を重力により入口フィルター１０の部分へ導くことができ、水素吸蔵合金Ｍの熱伝導率の低下を防ぐことができ、水素の吸蔵、放出に伴う反応熱の授受を速やかに行うことができる。
【００３８】
なお、振動装置２０を定期的に作動させ、水素吸蔵合金Ｍの偏在を修正するように構成してもよい。また、振動装置２０は圧力容器２の両側面に固定する限りでなく、圧力容器の上下面や、上下面と両側面に固定するものでもよい。振動装置はモータの回転軸に偏心マスを固定し、モータを回転させて振動を発生させるものでもよい。さらに、振動装置は圧力容器の内部空間、例えば入口空間や出口空間に固定してもよく、前記第２の実施形態の水素貯蔵装置に設けるようにしてもよい。
【００３９】
以上、本発明の一実施形態について詳述したが、本発明は、前記の実施形態に限定されるものではなく、特許請求の範囲に記載された本発明の精神を逸脱しない範囲で、種々の設計変更を行うことができるものである。例えば、熱媒として加熱空気の例を示したが、温水等で熱伝導フィンを加熱して水素を放出するように構成してもよい。また、他の不活性な流体を用いてもよい。圧力容器は直方体に限らず、円柱状や他の形状でもよいことは勿論である。
【００４０】
前記した実施形態では、水素を吸蔵するため水素あるいは水素を含む混合ガスが流入する流入管と、放出された水素が流出する流出管とを備える連続タイプの容器について述べたが、１つのパイプで水素の流入と流出を行う往復タイプの容器にも、本発明を適用することができる。この往復タイプの容器の場合は、水素吸蔵合金を収容する合金収容室と、流出入管との間に、ろ過精度の異なる複数のフィルターを積層した１つの出入口兼用のフィルターを配置すればよい。
【００４１】
【発明の効果】
以上の説明から理解できるように、本発明の水素吸蔵合金の容器は、水素の吸蔵及び放出時に水素の通過抵抗が増加するのを抑制し、水素の迅速な吸蔵と放出を可能とする。また、水素吸蔵合金の熱伝導率の低下を防止し、水素の吸蔵及び放出に伴う反応熱の授受を速やかに行うことにより、迅速で効率の良い水素の吸蔵及び放出を行うことができる。さらに、水素吸蔵合金の容器内での偏在を防ぐことができ、圧力容器の変形や損傷を防いで長期間に亘って安定した水素の吸蔵と放出が可能となる。
【図面の簡単な説明】
【図１】本発明に係る水素吸蔵合金の封入容器を使用した水素貯蔵装置の一実施形態の斜視図。
【図２】図１のＡ−Ａ線断面図。
【図３】図２のＢ−Ｂ線断面図。
【図４】フィルターと水素吸蔵合金の関係を示し、（ａ）は微粉化前の状態の模式図、（ｂ）は微粉化が進行した状態の模式図。
【図５】図１の内部構造を分解した斜視図。
【図６】本発明に係る水素吸蔵合金の封入容器を使用した水素貯蔵装置の他の実施形態を示す斜視図。
【図７】図６のＣ−Ｃ線断面図。
【図８】図７のＤ−Ｄ線断面図。
【図９】図６の内部構造を分解した斜視図。
【図１０】本発明に係る水素吸蔵合金の封入容器を使用した水素貯蔵装置のさらに他の実施形態を示す斜視図。
【図１１】（ａ）は従来の水素吸蔵合金の封入容器を示す展開図、（ｂ）は従来の水素吸蔵合金収容ユニットを示す一部破断斜視図。
【符号の説明】
１　水素吸蔵合金の封入容器、
２　圧力容器、　　　　　３　入口空間、
４　出口空間、　　　　　５　合金収容室、
６　流入管、　　　　　　７　流出管、
８　熱媒管、
８ａ　入口管、　　　　　８ｂ　出口管、
１０　入口フィルター、　１１　出口フィルター、
１０ａ，１１ａ　合金側フィルター、
１０ｂ，１１ｂ　中間フィルター、
１０ｃ，１１ｃ　外側フィルター、
１２，１６　熱伝導フィン、
１５　熱媒通路、　　　　２０　振動装置、
Ｍ　水素吸蔵合金
【図１】
2004132503.tif 000003
【図２】
2004132503.tif 000004
【図３】
2004132503.tif 000005
【図４】
2004132503.tif 000006
【図５】
2004132503.tif 000007
【図６】
2004132503.tif 000008
【図７】
2004132503.tif 000009
【図８】
2004132503.tif 000010
【図９】
2004132503.tif 000011
【図１０】
2004132503.tif 000012
【図１１】
2004132503.tif 000013